(57)【特許請求の範囲】
【請求項１】
壁面に取付けられた電気機器の背面側の壁面にコネクタボックスを埋設し、コネクタボックスの一部に一端のみが開口した空間を形成し、該空間に機器側電線と電源側電線との結線部を収め、機器側電線と電源側電線とを貫通させる貫通孔を有するゴム栓で前記空間を塞いで前記空間を密閉したことを特徴とする防曇鏡等の電気機器における電線結線部の防水構造。
【請求項２】
上記ゴム栓の上に、コネクタボックスに着脱自在に固定されるゴム栓キャップを設けたことを特徴とする請求項１記載の防曇鏡等の電気機器における電線結線部の防水構造。
【発明の詳細な説明】
【０００１】
【発明の属する技術分野】
本発明は、多湿空間に設置される電気機器の電線結線部の防水構造に関し、特に浴室の壁面に取付けて使用される防曇鏡に好適なものである。
【０００２】
【従来の技術】
従来の技術を、浴室に設けられる防曇鏡を例にして説明する。浴室用防曇鏡において、防曇用ヒーター側電線と電源側電線（屋内配線）の結線に防水コネクタを使用していた。したがって、浴室のように湿気が多くまた水がかかりやすい場所であっても、電線同士を結線することができた。
【０００３】
【発明が解決しようとする課題】
しかし、防水コネクタは、特殊なコネクタであるため部品コストが高いうえ、電源側電線を製品に同梱する必要があり、全体のコストアップとなる、という問題があった。
より詳しく説明すると、防水コネクタは、オス側、メス側の両方があり、それらの防水コネクタは防水性を保つために工場出荷の時点で電線に接続されていなければならない。そのため、ヒーター側に防水コネクタを接続するのに加えて、電源側電線側の防水コネクタにも電線を接続しておかなければならない。よって、通常は製品に同梱しない屋内配線用の電線を製品に同梱することになり、コストアップになるのである。
そこで、本発明は、そのような問題点を解決し、安コストで且つ安全な電線結線部を提供することを目的とする。
【０００４】
【課題を解決するための手段及び作用、効果】
本発明は上記の問題点を解決するために、壁面に取付けられた電気機器の背面側の壁面にコネクタボックスを埋設し、コネクタボックスの一部に一端のみが開口した空間を形成し、該空間に機器側電線と電源側電線との結線部を収め、機器側電線と電源側電線とを貫通させる貫通孔を有するゴム栓で前記空間を塞いで前記空間を密閉したことを特徴とする。
それにより、防水コネクタを使用せずに防水性の高い電線結線部が得られる。また、単純な構造のため、低コストで製造できる。
【０００５】
また、ゴム栓の上に、コネクタボックスに着脱自在に固定されるゴム栓キャップを設けることにより、ゴム栓の抜けを防止できる。
【０００６】
【発明の実施の形態】
本発明の実施の形態を、浴室に設けられた防曇鏡を例にして説明する。
図１において、浴室の壁面Ｗにアウトレットボックス１が埋設され、その表面側に防水ケース２が取付けられる。防水ケース２の表面側からアウトレットボックス１に向けてコネクタボックス３を差し込んで壁面Ｗに埋設させる。
そして、コネクタボックス３の表面側に鏡４を取付ける。鏡４は、裏面に防曇用ヒーター５が接着され、図示せぬスイッチによってヒーター５が入切されて鏡４の防曇を行なう電気機器である。ヒーター５からはヒーター側電線６が出ていて、その先端はアウトレットボックス１側の電源側電線（屋内配線）８に結線される。
鏡４は、防水ケース２と共に壁面Ｗにビス止めされた鏡止め金具７で固定される。
なお、この中で、浴室の水滴や湿気から防水すべき部分は次の二箇所である。
１．鏡４の裏面に貼付けてあるヒーター５
２．ヒーター側電線６と電源側電線８との結線部
【０００７】
防水ケース２の中央には、コネクタボックス３を取り付けるための穴２ａが開いている。また、防水ケース２の周囲の表面と裏面には、発泡性材質の防水パッキン９、１０が接着してある。
裏面側防水パッキン１０は、壁面Ｗと防水ケース２によって押しつぶされることにより、また表面側防水パッキン９は、鏡４の裏面と防水ケース２によって押しつぶされることにより、それぞれ高い防水性を確保できる。すなわち、防水パッキン９、１０及び１１により、防水ケース２の内側に水が浸入するのを防ぐことができ、よってヒーター５の防水が図れる。
【０００８】
コネクタボックス３は、周囲にフランジ３ａを有する略中空筒状体であり、壁面Ｗにネジ固定される。
コネクタボックス３のフランジ３ａが防水ケース２の中央の穴２ａの周囲を壁面に押し付けるようにしてネジ固定されることによって、防水パッキン１１が押しつぶされ、アウトレットボックス１の防水性を保っている。
電源側電線８とヒーター側電線６の結線部は、防水性の確保されたコネクタボックス３内に収められる。
コネクタボックス３の内部に、一端が開口した３つの筒状空間１２ａ、１２ｂ、１２ｃを形成し、それぞれに正極側電線結線部、負極側電線結線部、アース栓結線部の収納空間となっている。したがって、異なる極の電線が接触することがないので、安全性が高い。
【０００９】
このコネクタボックス３の筒状空間１２ａ、１２ｂ、１２ｃにゴム栓１４で蓋をする。
ゴム栓１４には電線６、８を通すための貫通孔１５が二つ開いており、ヒーター側電線６と電源側電線８をそれぞれこの貫通孔１５に通した後、コネクタ１６で両電線の先端同士を結線する。
よって、このゴム栓１４で筒状空間１２ａ、１２ｂ、１２ｃを塞ぐことにより、筒状空間１２ａ、１２ｂ、１２ｃの内部は密閉状になり空間内部の防水性が保たれ、その内部に収められた電線結線部の防水性が確保される。
【００１０】
また、ゴム栓１４をコネクタボックス３の筒状空間１２ａ、１２ｂ、１２ｃに差し込んだ後、コネクタボックス３の筒状空間１２ａ、１２ｂ、１２ｃの上からゴム栓キャップ１７を被せて、ネジ１８でコネクタボックス３のネジ穴１９に締め付けて固定する。
したがって、筒状空間１２ａ、１２ｂ、１２ｃに差し込んだゴム栓１４が強く筒状空間１２ａ、１２ｂ、１２ｃに密着し、ゴム栓１４の抜けを防ぎ、筒状空間１２ａ、１２ｂ、１２ｃの内部が確実な防水空間となる。
【００１１】
なお、ゴム栓キャップ１７は、ネジ固定以外の手段、例えば爪で係合させるような手段で固定されてもいい。
【００１２】
以上説明したように、本発明によれば、コネクタボックスの一部に一端のみが開口した空間を形成し、該空間に機器側電線と電源側電線との結線部を収め、機器側電線と電源側電線とを貫通させる貫通孔を有するゴム栓で空間を塞いで空間を密閉したので、高価な防水コネクタを使用することなしに防水性の高い電線結線部が得られる。
また、単純な構造のため、低コストで製造できる。
さらに、ゴム栓の上に、コネクタボックスに着脱自在に固定されるゴム栓キャップを設けたので、ゴム栓の抜けを防止できる。
また、現場において簡単に施工できる。
【００１３】
なお、上述した浴室用防曇鏡以外にも、多湿な空間において使用され電線同士の結線部分を有する様々な電気機器、例えば照明器具、暖房用ヒーター等に本発明を適用できる。
【図面の簡単な説明】
【図１】本発明の一実施の形態である、浴室用防曇鏡の取付け状態を示す縦断面図である。
【図２】図１の正面図である。
【図３】コネクタボックスと電線結線部との関係を示す図である。
【図４】電源結線部付近を示す図である。
【図５】コネクタボックスを現わす図で、（ａ）正面図、（ｂ）中央縦断面図である。
【図６】ゴム栓キャップを現わす図で、（ａ）は正面図、（ｂ）は断面図である。
【符号の説明】
３  …  コネクタボックス
４  …  電気機器（防曇鏡）
６  …  機器側電線（ヒーター側電線）
８  …  電源側電線
１２ａ、１２ｂ、１２ｃ  …  筒状空間
１４  …  ゴム栓
１５  …  貫通孔
１６  …  結線部（コネクタ）
１７  …  ゴム栓キャップ
Ｗ  …  壁面
【図１】
0003729382.tif 000002
【図２】
0003729382.tif 000003
【図３】
0003729382.tif 000004
【図４】
0003729382.tif 000005
【図５】
0003729382.tif 000006
【図６】
0003729382.tif 000007